(57)【要約】  衣類は、ポケットを有する第１の衣類部分を含み、ポケットは開口部を含む。第２の衣類部分は、第１の衣類部分に対して移動可能である。調節システムは、少なくとも部分的にポケットの中に配置され、第２の衣類部分及び第１の衣類部分を結合する。調節システムは、開口部を介して第２の衣類部分を少なくとも部分的にポケットの中に移動させて着用者上の衣類のフィット性を調節するために、着用者が操作可能である。【選択図】図１
2021525835.tif 000002
【特許請求の範囲】
【請求項１】
着用者が着用するように構成された衣類であって、
開口部を有するポケットを含む第１の衣類部分と、
前記第１の衣類部分に対して移動可能な第２の衣類部分と、
少なくとも前記ポケットの中に配置され、前記第２の衣類部分及び前記第１の衣類部分を結合する調節システムと、
を備え、
前記調節システムは、前記開口部を介して前記第２の衣類部分を少なくとも部分的に前記ポケットの中に移動させて前記着用者上の前記衣類のフィット性を調節するために、前記着用者が操作可能である、衣類。
【請求項２】
前記調節システムは、前記開口部を介して前記第２の衣類部分を少なくとも部分的に前記ポケットの中に移動させて前記着用者上の前記衣類の胴回りのサイズを調節するために、前記着用者が操作可能である、請求項１に記載の衣類。
【請求項３】
前記調節システムは、前記開口部を介して前記第２の衣類部分を少なくとも部分的に前記ポケットの中に移動させて前記着用者上の前記衣類のフィット性を調節するために、前記着用者が引っ張ることができる、請求項１に記載の衣類。
【請求項４】
前記調節システムは、
前記第１の衣類部分と結合したスリップロック式バックルと、
前記第２の衣類部分と結合し、前記スリップロック式バックルを通って摺動自在に延びるストラップと、
を備え、
前記ストラップは、前記開口部を介して前記第２の衣類部分を少なくとも部分的に前記ポケットの中に移動させて前記着用者上の前記衣類のフィット性を調節するために、前記スリップロック式バックルを通して引っ張ることができる、請求項１に記載の衣類。
【請求項５】
前記調節システムは、前記第１の衣類部分と結合し、前記第２の衣類部分と摺動自在に結合した案内要素をさらに備える、請求項４に記載の衣類。
【請求項６】
前記案内要素は、案内ストラップである、請求項５に記載の衣類。
【請求項７】
前記第２の衣類部分と結合した第３の衣類部分をさらに備え、前記案内ストラップは、前記第３の衣類部分に結合される、請求項６に記載の衣類。
【請求項８】
前記第１の衣類部分は、前記着用者の前面に係合するように構成され、前記第２の衣類部分は、前記着用者の側面に係合するように構成され、前記第３の衣類部分は、前記着用者の背面に係合するように構成される、請求項７に記載の衣類。
【請求項９】
前記第２の衣類部分は、第１の弾性率を有する第１の材料で構成され、前記第３の衣類部分は、第２の弾性率を有する第２の材料で構成され、前記第２の弾性率は、前記第１の弾性率よりも小さい、請求項８に記載の衣類。
【請求項１０】
前記案内要素は、第１の案内要素であり、前記第１の衣類部分と結合し、前記第２の衣類部分と摺動自在に結合した第２の案内要素をさらに備える、請求項５に記載の衣類。
【請求項１１】
前記第１の案内要素は第１の案内ストラップであり、前記第２の案内要素は第２の案内ストラップである、請求項１０に記載の衣類。
【請求項１２】
前記第２の衣類部分と結合し、前記第１の衣類部分と摺動自在に結合した第３の案内要素をさらに備える、請求項１０に記載の衣類。
【請求項１３】
前記第１の案内要素は第１の案内ストラップであり、前記第２の案内要素は第２の案内ストラップであり、前記第３の案内要素は第３の案内ストラップである、請求項１２に記載の衣類。
【請求項１４】
前記スリップロック式バックルは第１のスリップロック式バックルであり、前記調節システムは、前記第１の衣類部分と結合した第２のスリップロック式バックルをさらに備え、前記ストラップは、
前記第２の衣類部分と結合した第１の端部と、
前記第２の衣類部分と結合した第２の端部と、
前記第１の端部と前記第２の端部との間、及び前記第１のスリップロック式バックルと前記第２のスリップロック式バックルとの間に配置されたハンドル衣類部分と、
を備え、
前記ハンドル衣類部分は、前記ストラップを前記第１のスリップロック式バックル及び前記第２のスリップロック式バックルを通って移動させ、前記開口部を介して前記第２の衣類部分を少なくとも部分的に前記ポケットの中に移動させて、前記着用者上の前記衣類のフィット性を調節するために、引っ張ることができる、請求項４に記載の衣類。
【請求項１５】
前記開口部は第１の開口部であり、前記ポケットは第２の開口部をさらに備える、請求項１に記載の衣類。
【請求項１６】
着用者が着用するように構成された衣類であって、
開口部を有するポケットを含む第１の衣類部分と、
第２の衣類部分と、
前記ポケットの中に少なくとも部分的に配置された調節システムと、
を備え、
前記調節システムは、前記第１の衣類部分と結合し、前記第２の衣類部分と摺動自在に結合した案内要素を備え、前記第２の衣類部分は、前記開口部を介して少なくとも部分的に前記ポケットの中に移動可能であり、前記着用者上の前記衣類のフィット性を調整するようになっている、衣類。
【請求項１７】
前記案内要素は、案内ストラップである、請求項１６に記載の衣類。
【請求項１８】
前記案内要素は第１の案内要素であり、前記第１の衣類部分と結合し、前記第２の衣類部分と摺動自在に結合した第２の案内要素をさらに備える、請求項１６に記載の衣類。
【請求項１９】
前記第１の案内要素は第１の案内ストラップであり、前記第２の案内要素は第２の案内ストラップである、請求項１８に記載の衣類。
【請求項２０】
前記第２の衣類部分と結合し、前記第１の衣類部分と摺動自在に結合した第３の案内要素をさらに備える、請求項１８に記載の衣類。
【発明の詳細な説明】
【技術分野】
【０００１】
（関連出願）
本出願は、２０１８年５月２２日出願の米国仮特許出願第６２／６７４，８３６号の優先権を主張するものであり、その開示内容全体は、全ての目的で引用により本明細書に組み込まれている。
【０００２】
（技術分野）
本発明は、身体活動の間に着用される衣類に関する。より詳細には、本発明は、身体活動の間に着用されるサイズ調節可能な衣類に関する。
【背景技術】
【０００３】
ランニング、ウオーキング、ハイキングなどの身体活動の間に着用されるぴったりフィットしていない衣類は、過度の動きにさらされる場合があり、着用者の動作に心地良くなく、気が散り、及び／又は弊害をもたらす可能性がある。これらの問題は、鍵、財布、電話、水筒などの身の回り品を持ち運ぶためのポケットを含む衣類に関して深刻になる場合がある。従って、ある人は、身体活動の間にぴったりフィットしている衣類を着用することを好む。
【発明の概要】
【発明が解決しようとする課題】
【０００４】
しかしながら、衣類は一般的にいくつかの標準サイズ（例えば、ＸＸＳ、ＸＳ、Ｓ、Ｍ、Ｌ、ＸＬ、及びＸＸＬ）で生産されるが、この標準サイズは全ての人にぴったりフィットした状態をもたらすものではない。
【課題を解決するための手段】
【０００５】
第１の実施例において、本開示による衣類は、ポケットを有する第１の衣類部分を含み、ポケットは開口部を含む。第２の衣類部分は、第１の衣類部分に対して移動可能である。調節システムは、少なくとも部分的にポケットの中に配置され、第２の衣類部分及び第１の衣類部分を結合する。調節システムは、開口部を介して第２の衣類部分を少なくとも部分的にポケットの中に移動させて着用者上の衣類のフィット性を調節するために、着用者が操作可能である。
【０００６】
第２の実施例において、第１の実施例の衣類の調節システムは、開口部を介して第２の衣類部分を少なくとも部分的にポケットの中に移動させて着用者上の衣類の胴回りのサイズを調節するために、着用者が操作可能である。
【０００７】
第３の実施例において、上記のいずれかの実施例の衣類の調節システムは、開口部を介して第２の衣類部分を少なくとも部分的にポケットの中に移動させて着用者上の衣類のフィット性を調節するために、着用者が引っ張ることができる。
【０００８】
第４の実施例において、上記のいずれかの実施例の衣類の調節システムは、第１の衣類部分と結合したスリップロック式バックルを含む。ストラップは、第２の衣類部分と結合し、スリップロック式バックルを通って摺動自在に延びる。ストラップは、開口部を介して第２の衣類部分を少なくとも部分的にポケットの中に移動させて着用者上の衣類のフィット性を調節するために、スリップロック式バックルを通して引っ張ることができる。
【０００９】
第５の実施例において、上記のいずれかの実施例の衣類の調節システムは、第１の衣類部分と結合し、第２の衣類部分と摺動自在に結合した案内要素をさらに含む。
【００１０】
第６の実施例において、上記のいずれかの実施例の衣類の案内要素は、案内ストラップである。
【００１１】
第７の実施例において、上記のいずれかの実施例の衣類は、第２の衣類部分と結合した第３の衣類部分をさらに備え、案内ストラップは、第３の衣類部分に結合される。
【００１２】
第８の実施例において、上記のいずれかの実施例の衣類であって、第１の衣類部分は、着用者の前面に係合するように構成され、第２の衣類部分は、着用者の側面に係合するように構成される。
【００１３】
第９の実施例において、上記のいずれかの実施例の衣類であって、第２の衣類部分は、第１の弾性率を有する第１の材料で構成され、第３の衣類部分は、第２の弾性率を有する第２の材料で構成され、第２の弾性率は、第１の弾性率よりも小さい。
【００１４】
第１０の実施例において、上記のいずれかの実施例の衣類であって、案内要素は、第１の案内要素であり、第１の衣類部分と結合し、第２の衣類部分と摺動自在に結合した第２の案内要素をさらに備える。
【００１５】
第１１の実施例において、上記のいずれかの実施例の衣類であって、第１の案内要素は第１の案内ストラップであり、第２の案内要素は第２の案内ストラップである。
【００１６】
第１２の実施例において、上記のいずれかの実施例の衣類であって、第２の衣類部分と結合し、第１の衣類部分と摺動自在に結合した第３の案内要素をさらに備える。
【００１７】
第１３の実施例において、上記のいずれかの実施例の衣類であって、第１の案内要素は第１の案内ストラップであり、第２の案内要素は第２の案内ストラップであり、第３の案内要素は第３の案内ストラップである。
【００１８】
第１４の実施例において、上記のいずれかの実施例の衣類であって、スリップロック式バックルは第１のスリップロック式バックルであり、調節システムは、第１の衣類部分と結合した第２のスリップロック式バックルをさらに備え、ストラップは、第２の衣類部分と結合した第１の端部と；第２の衣類部分と結合した第２の端部と；第１の端部と第２の端部との間、及び第１のスリップロック式バックルと第２のスリップロック式バックルとの間に配置されたハンドル衣類部分と；を備える。ハンドル衣類部分は、ストラップを第１のスリップロック式バックル及び第２のスリップロック式バックルを通って移動させ、開口部を介して第２の衣類部分を少なくとも部分的にポケットの中に移動させて、着用者上の衣類のフィット性を調節するために、引っ張ることができる。
【００１９】
第１５の実施例において、上記のいずれかの実施例の衣類であって、開口部は第１の開口部であり、ポケットは第２の開口部をさらに備える。
【００２０】
第１６の実施例において、本開示による衣類は、ポケットを有する第１の衣類部分を含み、ポケットは開口部を含む。衣類は、第２の衣類部分を含む。調節システムは、ポケットの中に少なくとも部分的に配置される。調節システムは、第１の衣類部分と結合し、第２の衣類部分と摺動自在に結合した案内要素を含み、第２の衣類部分は、開口部を介して少なくとも部分的に前記ポケットの中に移動可能であり、着用者上の衣類のフィット性を調整するようになっている。
【００２１】
第１７の実施例において、第１６の実施例の衣類の案内要素は、案内ストラップである。
【００２２】
第１８の実施例において、第１６の実施例又は第１７の実施例の衣類であって、案内要素は第１の案内要素であり、第１の衣類部分と結合し、第２の衣類部分と摺動自在に結合した第２の案内要素をさらに備える。
【００２３】
第１９の実施例において、第１６の実施例から第１８の実施例の衣類であって、第１の案内要素は第１の案内ストラップであり、第２の案内要素は第２の案内ストラップである。
【００２４】
第２０の実施例において、第１６の実施例から第１９の実施例の衣類は、第２の衣類部分と結合し、第１の衣類部分と摺動自在に結合した第３の案内要素をさらに備える。
【００２５】
複数の実施形態が開示されるが、当業者であれば、本発明の例示的な実施形態を示して説明する以下の詳細な説明から本発明のさらに別の実施形態を理解できるはずである。従って、図面及び詳細な説明は、本質的に例示であり非限定的と見なされる。
【図面の簡単な説明】
【００２６】
【図１Ａ】着用者上の衣類のフィット性を調節してしっかり締める前の、本開示の実施形態によるサイズ調節可能な衣類の側面からの図を示す。
【図１Ｂ】着用者上の衣類のフィット性を調節してしっかり締めた状態の図１Ａのサイズ調節可能な衣類の別の側面からの図を示す。
【図２Ａ】図１Ａのサイズ調節可能な衣類の側面図であり、内部構成要素を示すために衣類の一部が半透明になっている。
【図２Ｂ】図１Ａのサイズ調節可能な衣類の側面図であり、他の構成要素が見えるように複数の構成要素が隠されている以外は図２Ａと同じである。
【図３】図１Ａのサイズ調節可能な衣類の内部の部分的に分解された正面図である。
【図４】本開示の他の実施形態によるサイズ調節可能な衣類の側面図である。
【図５】本開示の他の実施形態によるサイズ調節可能な衣類の側面図である。
【図６】本開示の他の実施形態によるサイズ調節可能な衣類の部分的に分解された側面図である。
【図７Ａ】本開示の他の実施形態によるサイズ調節可能な衣類の側面図である。
【図７Ｂ】図７Ａのサイズ調節可能な衣類の部分的に分解された側面図である。
【図８】本開示の他の実施形態によるサイズ調節可能な衣類の内部の部分的に分解された正面図である。
【図９】本開示の他の実施形態によるサイズ調節可能な衣類の内部の部分的に分解された正面図である。
【発明を実施するための形態】
【００２７】
図面は、本発明の例示的な実施形態の理解を助けることが意図されており必ずしも縮尺通りではないことを理解されたい。
【００２８】
以下の説明は、特定の実施形態を示す添付図面を参照する。特定の実施形態が示されて説明されているが、他の実施形態において追加的な又は代替的な特徴部が用いられることを理解されたい。以下の詳細な説明は、限定的と見なされず、権利主張される発明の範囲は、特許請求の範囲及びその均等物に定義される。
【００２９】
複数の図面を通して同じ参照番号は同じ構造的な構成要素、要素、部分、又は表面を特定することが意図されており、構成要素、要素、部分、又は表面は明細書全体に詳細に記載又は説明することができ、この詳細な説明は不可欠な部分であることを理解されたい。別途指示されていない限り、各図面は、明細書と一緒に解釈（例えば、クロスハッチング、部品の配置、比率、角度など）されることが意図されており、さらび明細書の一部と見なされる。
【００３０】
図１Ａ及び１Ｂは、本開示の実施形態によるサイズ調節可能な衣類１００を示す。一般に、サイズ調節可能な衣類１００は、着用者の胴体の前方右側に係合するように構成されている第１の衣類部分１０２と、着用者の胴体の右側に係合するように構成されている第２の衣類部分１０４と、用者の胴体の裏側に係合するように構成されている第３の衣類部分１０６とを含む。また、サイズ調節可能な衣類１００は、着用者の胴体の左側に係合するように構成されている第４の衣類部分（他の場所に示されている）及び着用者の胴体の前方左側に係合するように構成されている第５の衣類部分（他の場所に示されている）を含む。衣類１００のサイズ（具体的には、衣類１００の胴体の周方向のサイズすなわち胴回りのサイズ）を調節するために、第２の衣類部分１０４は、第１の衣類部分１０２に対して移動可能（より具体的には平行移動可能）であり、第４の衣類部分は、第５の衣類部分に対して移動可能（より具体的には平行移動可能）である。図１Ａに示すように、衣類１００は、衣類１００を着用する又は脱ぐのを容易にするためにゆったりとすることができる。図１Ｂに示すように、衣類１００は、種々の身体サイズの着用者に対してぴったりフィットしている状態をもたらすために着用者の胴体の周りでしっかり締めることができる。例えば、衣類１００は、ＸＸＳからＭ、又はＬからＸＸＬの範囲の身体サイズの着用者に対してぴったりフィットしている状態をもたらすために調節することができる。ぴったりフィットしている状態は、ランニング、ウォーキング、ハイキングなどの各種の身体活動の間に衣類１００を着用するのに適切な場合がある。衣類１００の上記及び追加的な態様は以下に詳細に説明される。
【００３１】
一般的に、サイズ調節可能な衣類１００は、織物などの１又は２以上の材料を含むことができ、より詳細には、織物は、合成繊維（例えば、ポリエステル、ポリアミド、ポリエーテル−ポリユリア共重合体などから成る繊維）、天然繊維（例えば、綿、絹、羊毛、麻などから成る繊維）、又はこれらの組み合わせを含む。一部の実施形態において、サイズ調節可能な衣類１００は、弾性などの異なる物理的特性を有する２又は３以上の材料を含むことができる。衣類１００のこの態様は以下に詳細に説明される。
【００３２】
図２Ａ及び２Ｂは、サイズ調節可能な衣類１００の第１の衣類部分１０２、第２の衣類部分１０４、及び第３の衣類部分１０６をさらに示す。図２Ｂにおいて、他の構成要素が見えるようにいくつかの構成要素が隠されているが、図２Ｂは、他の点では図２Ａと同じである。第１の衣類部分１０２は、第１の又は側部の開口部２０２からアクセス可能なポケット２００を含む。第２の衣類部分１０４は、上述のように着用者上での衣類１００のフィット性を調節するためにポケット２００の中に移動してその中に部分的に位置することができる。また、第１の衣類部分１０２は、ポケット２００へのアクセスを容易にする第２の又は中間の開口部２０４を含む。第２の開口部２０４は、種々の物品（例えば、鍵、ＩＤカード、携帯電話など）をポケット２００の中に収納するために用いることができる。また、第２の開口部２０４の近くにおいて、第１の衣類部分１０２は、第５の衣類部分に着脱可能に接続するための接続機構２０６を含む。
【００３３】
衣類１００は、第１の衣類部分１０２に対する第２の衣類部分１０４の移動を容易にして着用者上での衣類１００のフィット性を調節するための調節システム２０８を含む。調節システム２０８は、第２の衣類部分１０４をポケット２００の中に移動させて着用者上での衣類１００のフィット性を調節するために、着用者が操作可能である。
【００３４】
調節システム２０８は、第２の衣類部分１０４をポケット２００の中に移動させるために着用者が引っ張ることができる調節ストラップ２１０を含む（図２Ｂでは隠されており、例えば、織物ストラップである）。調節ストラップ２１０は、ポケット２００の中に配置されて第２の衣類部分１０４と結合した第１の又は上側の端部２０２を含む。一部の実施形態において、図示するように、第１の端部２１２は、縫い目２１４によって第２の衣類部分１０４と結合することができる。他の実施形態において、第１の端部２１２は、接着、超音波溶着などの他の方法で第２の衣類部分１０４と結合することができる。調節ストラップ２１０は、第１の端部２１２から第１の衣類部分１０２に形成された第１の開き口部２１６及び第１の衣類部分１０２と結合した第１のスリップロック式バックル２１８を通って延びる。次に、調節ストラップ２１０は、第１のスリップロック式バックル２１８から第１の衣類部分１０２に形成された第２の開き口部２２０及び第１の衣類部分１０２に結合した第２のスリップロック式バックル２２２を通って延びる。次に、調節ストラップ２１０は、ポケット２００の中に配置されて第２の衣類部分１０４と結合した第２の又は下側の端部２２４まで延びる。一部の実施形態において、図示のように、第２の端部２２４は、縫い目２２６によって第２の衣類部分１０４と結合することができる。他の実施形態において、第２の端部２２４は、接着、超音波溶着などの他の方法で第２の衣類部分１０４と結合することができる。第１のスリップロック式バックル２１８と第２のスリップロック式バックル２２２との間で、調節ストラップ２１０は、第１のスリップロック式バックル２１８及び第２のスリップロック式バックル２２２を通って調節ストラップ２１０を移動させるために、第２の衣類部分１０４に向かって引っ張ることができるハンドル衣類部分２２８を形成する。この操作は、調節ストラップ２１０を引張って第２の衣類部分１０４を少なくとも部分的に第１の開口部２０２を通ってポケット２００の中に移動させるようにし、これによって着用者上で衣類１００がぴったりフィットする。着用者上での衣類１００のフィット性を緩めるために、第１のスリップロック式バックル２１８及び第２のスリップロック式バックル２２２は、調節ストラップ２１０がこれらを通って摺動することができるように枢動させることができる。
【００３５】
調節システム２０８は、第１の衣類部分１０２に対する第２の衣類部分１０４の移動を容易にして、第１の衣類部分１０２に対して移動する際に第２の衣類部分１０４が変形する（特に、しわになる又はそれ自体が折り重なる）のを防止する、１又は２以上の案内要素をさらに含む。詳細には、調節システム２０８は、第１の又は上側の案内要素、第２の又は下側の案内要素、及び第３の又は中間の案内要素を含む。第１の案内要素は第１の案内ストラップ２３０、第２の案内要素は第２の案内ストラップ２３２、及び第３の案内要素は第３の案内ストラップ２３４（例えば、織物ストラップ）とすることができる。
【００３６】
第１の案内ストラップ２３０は、第１の衣類部分１０２と結合する（例えば、図示のように縫い目２３８で、代替的に接着、超音波溶着などで）第１の端部２３６（図２Ｂ参照）、及び第３の衣類部分１０６と結合する第２の端部（図示せず）を含む。第１の案内ストラップ２３０は、第２の衣類部分１０４の第１の内部通路２４０（例えば、第２の衣類部分１０４の２枚の織物シートで形成された）に収容されることで、第２の衣類部分１０４と摺動自在に結合する（図２Ｂ参照）。
【００３７】
第２の案内ストラップ２３２は、第１の衣類部分１０２と結合する（例えば、図示のように縫い目２４４で、代替的に接着、超音波溶着などで）第１の端部２４２（図２Ｂ参照）、及び第３の衣類部分１０６と結合する第２の端部（図示せず）を含む。第２の案内ストラップ２３２は、第２の衣類部分１０４の第２の内部通路２４６（例えば、第２の衣類部分１０４の２枚の織物シートで形成された）に収容されることで、第２の衣類部分１０４と摺動自在に結合する（図２Ｂ参照）。
【００３８】
第３の案内ストラップ２３４は、第２の衣類部分１０４と結合する（例えば、図示のように縫い目２５０で、代替的に接着、超音波溶着などで）第１の端部２４８、及び第３の衣類部分１０６と結合する第２の端部（図示せず）を含む。第３の案内ストラップ２３４は、第１の衣類部分１０２に形成されて第１の開口部２０２に隣接した開口部２５２（例えば、第２の衣類部分１０４のストラップ２５４、２５６の間に形成され、このストラップ２５４、２５６は、例えば、開口部２５２から離れている縫い目２５８によって結合される）を通って延びることで、第１の衣類部分１０２と摺動自在に結合する。また、第３の案内ストラップ２３４は、中間的な場所２６０で第２の衣類部分１０４と結合する（例えば、図示のように縫い目２６２で、代替的に接着、超音波溶着などで）。中間的な場所２６０及び第１の端部で第２の衣類部分１０４と結合することで、第３の案内ストラップ２３４は、第１の衣類部分１０２に対する第２の衣類部分１０４の可動域を制限する。すなわち、衣類１００のフィット性が緩い場合、第３の案内ストラップ２３４の第１の端部での縫い目２５０は、開口部２５２を定めるストラップ２５４、２５６と係合して第２の衣類部分１０４がポケット２００から完全に抜け出るのを阻止する。同様に、衣類１００がぴったりフィットする場合、第３の案内ストラップ２３の中間位置の縫い目２６２は、開口部２５２を定めるストラップ２５４、２５６と係合して第２の衣類部分１０４がさらにポケット２００の中に移動するのを阻止する。この態様は、以下に詳細に説明される。
【００３９】
図２Ａ及び２Ｂには、サイズ調節可能な衣類１００の第４の衣類部分及び第５の衣類部分が示されていない。しかしながら、第４の衣類部分、第５の衣類部分、及びこの２つの衣類部分を結合する調節システムは、第２の衣類部分１０４、第１の衣類部分１０２、及び調節システム２０８とそれぞれ鏡像関係とすること又は実質的に鏡像関係とすることができる。
【００４０】
図３は、図１Ａのサイズ調節可能な衣類１００の内部の部分的に分解された正面図を示す。第１の衣類部分１０２及び第５の衣類部分３００は、通常は衣類１００の肩部の第３の衣類部分１０６と結合されるが（例えば、縫い目で（図示せず）、代替的に接着、超音波溶着などで）、図３では、明瞭化のためにこれらの構成要素は結合されていない。
【００４１】
縫い目３０２及び３０４は、それぞれ第２の衣類部分１０４及び第４の衣類部分３０６を第３の衣類部分１０６の比較的弾性のあるセクション３０８に結合し、このセクション３０７８は着用者の下背部に係合するように構成されている。比較的弾性のあるセクション３０８は、第２の衣類部分１０４及び第４の衣類部分３０６が第１の衣類部分１０２及び第５の衣類部分３００の中に移動する際に伸びて着用者上で衣類１００がぴったりフィットするようにする。この伸びは、着用者上で衣類１００がぴったりフィットするにもかかわらず、第２の衣類部分１０４及び第４の衣類部分３０６が全体的に変形しないままであることを可能にする（すなわち、しわにならない又は折り重ならない）。比較的弾性のあるセクション３０８は、上述の織物などの１又は２以上の種々の材料、より具体的には、２方向伸縮織物又は４方向伸縮織物を生成するのに用いられる材料を含むことができる。比較的弾性のあるセクション３０８は、衣類１００の他の衣類部分の材料（例えば、第２の衣類部分１０４及び／又は第４の衣類部分３０６を形成する材料）の弾性率よりも小さい弾性率をもつ材料から形成することができる。詳細には、比較的弾性のあるセクション３０８の弾性率は、他の材料の弾性率の少なくとも１０パーセント未満、より具体的には他の材料の弾性率の少なくとも２０パーセント未満、さらに具体的には他の材料の弾性率の少なくとも３０パーセント未満とすることができる。
【００４２】
比較的弾性のあるセクション３０８は、第１の案内ストラップ２３０（図示せず）、第２の案内ストラップ２３２、及び第３の案内ストラップ２３４（他の場所に示されている）の第２の端部、並びに衣類１００の左側の調節システム（図示せず）の案内ストラップの第２の端部と結合する。一部の実施形態において、図示のように、縫い目３０２は、第１の案内ストラップ２３０の（図示せず）、第２の案内ストラップ２３２、及び第３の案内ストラップ２３４（他の場所に示されている）の第２の端部を比較的弾性のあるセクション３０８に結合すること、及び縫い目３０４は、衣類１００の左側の調節システム（図示せず）の案内ストラップの第２の端部を比較的弾性のあるセクション３０８に結合することができる。他の実施形態において、比較的弾性のあるセクション３０８は、接着、超音波溶着などの他の方法で案内ストラップの第２の端部と結合する。
【００４３】
比較的弾性のあるセクション３０８は、着用者の上背部に係合するように構成されている比較的弾性のないセクション３１２と結合する（例えば、縫い目で、代替的に接着、超音波溶着などで）。比較的弾性のないセクション３１２は、上述の織物などの１又は２以上の種々の材料を含むことができる。
【００４４】
上述のように、比較的弾性のあるセクション３０８は、第２の衣類部分１０４及び第４の衣類部分３０６がそれぞれ第１の衣類部分１０２及び第５の衣類部分３００の中に移動する際に伸びて着用者上で衣類１００がぴったりフィットするようにする。従って、縫い目３０２及び３０４、並びに第１及び第２の案内ストラップ２３０及び２３２の第２の端部も衣類１００の前方に向かって移動し、比較的緩くなる。第３の案内ストラップ２３４上の縫い目２６０の存在に起因する、第１の衣類部分１０２及び第５の衣類部分３００のそれぞれに対する第２の衣類部分１０４及び第４の衣類部分３０６の制限された可動域は、第１及び第２の案内ストラップ２３０及び２３２が過剰に緩くなるのを阻止する。
【００４５】
本開示によるサイズ調節可能な衣類の実施形態は、他の種々の形態を取ることができる。例えば。本開示によるサイズ調節可能な衣類の調節システムは、他の種々の形態を取ることができる。具体例として、図４は、本開示の他の実施形態によるサイズ調節可能な衣類４００を示す。サイズ調節可能な衣類４００は、第１の衣類部分１０２に対する第２の衣類部分１０４の移動を容易にする調節システム４０２以外は、衣類１００と同じ構成要素又は実質的に同じ構成要素を含むことができる。一般に、調節システム４０２は、上述の調節ストラップ２１０、第１のスリップロック式バックル２１８、第２のスリップロック式バックル２２２、及び中間案内ストラップ２３４を含む。しかしながら、調節システム４０２は、上側案内ストラップ２３０（他の場所に示される上述の）及び下側案内部材２３２（他の場所に示される上述の）を備えていない。
【００４６】
他の具体例として、図５は、本開示の他の実施形態によるサイズ調節可能な衣類５００を示す。サイズ調節可能な衣類５００は、第１の衣類部分１０２に対する第２の衣類部分１０４の移動を容易にする調節システム５０２以外は、衣類１００と同じ構成要素又は実質的に同じ構成要素を含むことができる。全体的に、調節システム５０２は、上述の調節ストラップ２１０、第１のスリップロック式バックル２１８、第２のスリップロック式バックル２２２、上側案内ストラップ２３０、及び下側案内ストラップ２３２を含む。しかしながら、調節システム５０２は、中間案内ストラップ２３４（他の場所に示される上述の）を備えていない。
【００４７】
他の具体例として、図６は、本開示の他の実施形態によるサイズ調節可能な衣類６００を示す。サイズ調節可能な衣類６００は、第１の衣類部分１０２に対する第２の衣類部分１０４の移動を容易にする調節システム６０２以外は、衣類１００と同じ構成要素又は実質的に同じ構成要素を含むことができる。全体的に、調節システム６０２は、上述の調節ストラップ２１０、第１のスリップロック式バックル２１８、及び第２のスリップロック式バックル２２２を含む。これらの構成要素は、ポケット２００の中に配置されるが、そうでない場合は上述の通りである。調節システム６０２は、上側案内ストラップ２３０（他の場所に示される上述の）、下側案内ストラップ２３２（他の場所に示される上述の）、及び中間案内ストラップ２３４（他の場所に示される上述の）を備えていない。
【００４８】
他の具体例として、図７Ａ及び７Ｂは、本開示の他の実施形態によるサイズ調節可能な衣類７００を示す。サイズ調節可能な衣類７００は、第１の衣類部分１０２に対する第２の衣類部分１０４の移動を容易にする調節システム７０２以外は、衣類１００と同じ構成要素又は実質的に同じ構成要素を含むことができる。全体的に、調節システム７０２は、上述の上側案内ストラップ２３０及び下側案内ストラップ２３２を含む。また、調節システム７０２は、第２の衣類部分１０４をポケット２００の中に移動させるために着用者が引っ張ることができる調節ストラップ７０４（例えば、織物ストラップ）を含む。調節ストラップ７０４は、ポケット２００の中に配置され、ポケット２００の第２の開口部２０４の近くで第１の衣類部分１０２と結合する（例えば、縫い目で（図示せず）、代替的に接着、超音波溶着などで）第１の端部７０６を含む。調節ストラップ７０４は、第１の端部７０６から第２の衣類部分１０４に向かってスリップロック式バックル７０８を通って延びる。スリップロック式バックル７０８は、中間案内ストラップ７１０（例えば、織物ストラップ）と結合し、中間案内ストラップ７１０は、第２の衣類部分１０４と結合する。調節ストラップ７０４は、第２の衣類部分１０４から離れてスリップロック式バックル７０８から延び、自由端である第２の端部７１２で終端する。調節ストラップ７０４の第２の端部７１２は、着用者上で衣類７００がぴったりフィットするように、着用者が第２の衣類部分１０４から離れる方向に引っ張ることができる。着用者上での衣類７００のフィット性を緩めるために、スリップロック式バックル７０８は、調節ストラップ７０４がこれを通って摺動することができるように枢動させることができる。また、調節システム７０２は、第１の斜めに延びる支持ストラップ７１４、第２の斜めに延びる支持ストラップ７１６、及び第３の垂直に延びる支持ストラップ７１８を含み（図７Ｂ参照）、これらは、第２の衣類部分１０４に結合され、第２の衣類部分１０４が第１の衣類部分１０２に対して移動する際に変形するのを阻止する。
【００４９】
他の実施例として、本開示によるサイズ調節可能な衣類の第３の衣類部分は、他の種々の形態を取ることができる。具体例として、図８は、本開示の他の実施形態のサイズ調節可能な衣類８００を示す。サイズ調節可能な衣類８００は、第１の衣類部分１０２に対する第２の衣類部分１０４の移動を容易にする調節システム８０２以外は、衣類１００と同じ構成要素又は実質的に同じ構成要素を含むことができる。全体的に、第３の衣類部分８０２は、比較的弾性のあるセクション８０４及び比較的弾性のないセクション８０６を含み、これらは、それぞれ比較的弾性のあるセクション３０８（他の場所に示される上述の）及び比較的弾性のないセクション３１２（他の場所に示される上述の）と同じ材料を含むことができる。しかしながら、比較的弾性のあるセクション８０４は、比較的弾性のあるセクション３０８に比べて小さい。より詳細には、比較的弾性のあるセクション８０４は、縫い目３０２、３０４からオフセットしている。
【００５０】
他の具体例として、図９は、本開示の他の実施形態によるサイズ調節可能な衣類９００を示す。サイズ調節可能な衣類９００は、着用者の胴体の背部に係合するように構成されている第３の衣類部分９０２以外は、衣類１００と同じ構成要素又は実質的に同じ構成要素を含むことができる。全体的に、第３の衣類部分９０２は、比較的弾性のあるセクション３０８（他の場所に示される上述の）と同じ材料含むことができる、比較的弾性のあるセクション９０４を含む。しかしながら、第３の衣類部分は、比較的弾性のないセクション３１２（他の場所に示される上述の）を備えていない。
【００５１】
本開示によるサイズ調節可能な衣類の実施形態は、上述されかつ図面に示されたものとは別の様式で異なることができる。例えば、第１の衣類部分のポケットは、中間の開口部を欠くことができる。他の実施例として、第１の衣類部分、第２の衣類部分、第３の衣類部分、第４の衣類部分、及び第５の衣類部分のうちの１又は２以上は、物品を持ち運ぶための１又は２以上の追加のポケットを含むことができる。他の実施例として、第１の衣類部分及び第５の衣類部分のうちの一方は、調節システムを含むことができ、第１の衣類部分及び第５の衣類部分のうちの他方は、調節システムを欠くことができる。他の実施例として、第１の衣類部分及び第５の衣類部分は、別の種類の調節システムを含むことができる。他の実施例として、案内要素のうちの１又は２以上は、他の形態を取ることができる。具体例として、案内要素のうちの１又は２以上は、織物又は非織物材料から成るケーブルとすることができる。
【００５２】
本発明の範囲から逸脱することなく、検討された例示的な実施形態に対して変更又は追加を行うことができる。例えば、上述の実施形態は、特定の特徴を参照するが、本発明の範囲は、各特徴の異なる組み合わせを有する実施形態、及び上述の特徴の全てを含んでいない実施形態を含むこともできる。
【符号の説明】
【００５３】
１００  サイズ調節可能な衣類
１０２  第１の衣類部分
１０４  第２の衣類部分
１０６  第３の衣類部分
【図１Ａ】
2021525835.tif 000003
【図１Ｂ】
2021525835.tif 000004
【図２Ａ】
2021525835.tif 000005
【図２Ｂ】
2021525835.tif 000006
【図３】
2021525835.tif 000007
【図４】
2021525835.tif 000008
【図５】
2021525835.tif 000009
【図６】
2021525835.tif 000010
【図７Ａ】
2021525835.tif 000011
【図７Ｂ】
2021525835.tif 000012
【図８】
2021525835.tif 000013
【図９】
2021525835.tif 000014
【国際調査報告】
2021525835.tif 000015
2021525835.tif 000016